(57)【要約】【課題】  カバーの取付け及び取外し作業が容易なサンルーフ用リッドのカバー取付構造を提供する。【解決手段】  係合部１５がストレート形状のため、係合孔１０への挿入作業が容易である。挿入状態で、係合部１５の表面が係合孔１０の内縁に接触するため、カバー１２の内壁部８の面方向におけるガタつきが防止される。係止部１６には内壁部８の下縁部１１に係合する爪部１８が形成されているため、カバー１２の取外方向への離脱が防止される。係止部１６を下側へ押すことにより、爪部１８と下縁部１１との係合が解除されるため、カバー１２の取外し作業も容易である。【選択図】        図４
2005212567.tif 000002
【特許請求の範囲】
【請求項１】
サンルーフ開口を開閉するリッドが、ガラスの周囲を金属製のリテーナにて支持した構造で、該リテーナには対向位置で互いに対面する内壁部が形成され、該内壁部に対して内側から樹脂製のカバーが押付方向を取付方向として取付けられているサンルーフ用リッドのカバー取付構造であって、
前記内壁部に係合孔と下縁部とを形成し、
カバーの係合孔に対応する位置に、係合孔の内縁に対して表面が接触し且つ取外方向で係合しないストレート形状の係合部を突出形成し、
カバーの下縁部に対応する位置に、下縁部に対して取外方向で係合する形状の爪部を有する係止部を突出形成し、
係合部を内壁部の係合孔内に挿入し且つ係止部を下縁部に係合させたことを特徴とするサンルーフ用リッドのカバー取付構造。
【請求項２】
請求項１に記載のサンルーフ用リッドのカバー取付構造であって、
係合部の表面に接触面積低減用の溝部が突出方向に形成されていることを特徴とするサンルーフ用リッドのカバー取付構造。
【請求項３】
請求項１又は請求項２に記載のサンルーフ用リッドのカバー取付構造であって、
係止部が内壁部の下縁部に下側から当接した状態になることを特徴とするサンルーフ用リッドのカバー取付構造。
【請求項４】
請求項１〜３のいずれか１項に記載のサンルーフ用リッドのカバー取付構造であって、
内壁部がリテーナの対向位置における各辺の長手方向両端部以外を下向きに曲折したフランジであり、リテーナの各辺の長手方向両端部にはそれぞれ引掛孔が形成され、
該引掛孔にカバーの長手方向両端部から上向きに形成した引掛部が引っ掛けられることを特徴とするサンルーフ用リッドのカバー取付構造。
【発明の詳細な説明】
【技術分野】
【０００１】
本発明は、自動車のサンルーフ用リッドのカバー取付構造に関するものである。
【背景技術】
【０００２】
自動車のルーフに形成されたサンルーフ開口は、スライド自在なリッドが設けられている。リッドは、ガラスの周囲を金属製のリテーナにて支持した構造で、リッドの左右対向位置には、金属製のリテーナの内壁部を隠す装飾用の樹脂製カバーが取付けられている。
【０００３】
カバーは、内壁部に対して押付方向を取付方向として取付けられている。カバーは、取付状態で、内壁部の面方向でガタがなく且つ内壁部から取外方向へ脱落することがないようにする必要がある。
【０００４】
そのため、カバーには、長手方向に２種類の係合部が突出形成されている。一方は水平方向で弾性変形する一対構造で、他方は垂直方向で弾性変形する一対構造で、それぞれを内壁部に形成された四角形の係合孔内に係入させることにより、カバーが取付状態となる。このような２種類の係合部により、カバーの内壁部の面方向におけるガタつきが防止される。
【０００５】
各一対の係合部の先端には、係合孔の内縁と取外方向で係合する爪部が互いに離反する方向へ向けて形成されおり、取付け後に、カバーが取外方向へ脱落しないようにされている（例えば、特許文献１。）。
【特許文献１】特公平４−９６８９号公報
【発明の開示】
【発明が解決しようとする課題】
【０００６】
しかしながら、このような従来の技術にあっては、カバーに設けられた２種類の係合部のそれぞれに、係合孔の内縁に対して取外方向で係合する爪部が形成されているため、カバー取付時に係合部を係合孔へ挿入する際、爪部が抵抗となり、挿入作業が行いづらい。また、リッドの補修の際などに、カバーを取外す時も、爪部が係合部を係合孔から抜く際の抵抗となり、取外作業が行いづらい。
【０００７】
本発明は、このような従来の技術に着目してなされたものであり、カバーの取付け及び取外し作業が容易なサンルーフ用リッドのカバー取付構造を提供するものである。
【課題を解決するための手段】
【０００８】
請求項１に記載の発明は、サンルーフ開口を開閉するリッドが、ガラスの周囲を金属製のリテーナにて支持した構造で、該リテーナには対向位置で互いに対面する内壁部が形成され、該内壁部に対して内側から樹脂製のカバーが押付方向を取付方向として取付けられているサンルーフ用リッドのカバー取付構造であって、前記内壁部に係合孔と下縁部を形成し、カバーの係合孔に対応する位置に、係合孔の内縁に対して表面が接触し且つ取外方向で係合しないストレート形状の係合部を突出形成し、カバーの下縁部に対応する位置に、下縁部に対して取外方向で係合する形状の爪部を有する係止部を突出形成し、係合部を内壁部の係合孔内に挿入し且つ係止部を下縁部に係合させたことを特徴とする。
【０００９】
請求項２に記載の発明は、係合部の表面に接触面積低減用の溝部が突出方向に形成されていることを特徴とする。
【００１０】
請求項３に記載の発明は、係止部が内壁部の下縁部に下側から当接した状態になることを特徴とする。
【００１１】
請求項４に記載の発明は、内壁部がリテーナの対向位置における各辺の長手方向両端部以外を下向きに曲折したフランジであり、リテーナの各辺の長手方向両端部にはそれぞれ引掛孔が形成され、該引掛孔にカバーの長手方向両端部から上向きに形成した引掛部が引っ掛けられることを特徴とする。
【発明の効果】
【００１２】
請求項１に記載の発明によれば、係合部がストレート形状のため、係合孔への挿入作業が容易である。挿入状態で、係合部の表面が係合孔の内縁に接触するため、カバーの内壁部の面方向におけるガタつきが防止される。係止部には内壁部の下縁部に係合する爪部が形成されているが、従来のように一対構造の全ての係合部に形成する場合よりも数が少なく、取付け時の大きな抵抗とはならず、カバーの取付け作業が容易である。また、カバーの取外し時には、係止部が内壁部の下縁部に対して下側から係合する構造のため、その係止部を下側へ押すことにより、爪部と下縁部との係合が解除され、取外し作業を容易に行うことができる。
【００１３】
請求項２に記載の発明によれば、係合部の表面に接触面積低減用の溝部が突出方向に形成されているため、係合部を係合孔に挿入する際の接触抵抗が小さく、カバーの取付け作業が更に容易になる。
【００１４】
請求項３に記載の発明によれば、係止部が内壁部の下縁部に下側から当接した状態になっているため、カバーの下方へのガタつきが更に確実に防止される。
【００１５】
請求項４に記載の発明によれば、リテーナの引掛孔に引っ掛けた引掛部を中心にして、カバー全体を回動させることにより、係合部の係合孔内への挿入と、係止部の下縁部への係合を行えるため、カバーの取付作業が容易である。また、取外す際も、爪部と下縁部との係合を解除した後に、カバーをそのまま引掛部を中心にして回動させることにより、係合部の係合孔からの引抜きも行えるため、カバーの取外し作業も容易になる。
【発明を実施するための最良の形態】
【００１６】
カバーの取付け及び取外し作業が容易なサンルーフ用リッドのカバー取付構造を提供する、という目的を、サンルーフ開口を開閉するリッドが、ガラスの周囲を金属製のリテーナにて支持した構造で、該リテーナには対向位置で互いに対面する内壁部が形成され、該内壁部に対して内側から樹脂製のカバーが押付方向を取付方向として取付けられているサンルーフ用リッドのカバー取付構造であって、前記内壁部に係合孔と下縁部を形成し、カバーの係合孔に対応する位置に、係合孔の内縁に対して表面が接触し且つ取外方向で係合しないストレート形状の係合部を突出形成し、カバーの下縁部に対応する位置に、下縁部に対して取外方向で係合する形状の爪部を有する係止部を突出形成し、係合部を内壁部の係合孔内に挿入し且つ係止部を下縁部に係合させたことで、実現した。
【実施例１】
【００１７】
以下、本発明の最良の実施例を図１〜図５に基づいて説明する。自動車のルーフ１には、サンルーフ開口２が形成されている。このサンルーフ開口２に相当する部分のルーフ１の内部には、ガイドレール機構３が設置されており、該ガイドレール機構３には、サンルーフ開口２を開閉するリッド４がスライド自在に支持されている。
【００１８】
リッド４は、ガラス５の周囲を金属製のリテーナ６にて支持した構造で、周縁にはウエザストリップ７が取付けられている。リテーナ６の左右対向位置における各辺には、その前後方向両端部以外を下向きに曲折した「内壁部」としてのフランジ８が形成されている。また、リテーナ６の左右対向位置における前後方向両端部には、それぞれスリット状の引掛孔９が形成されている。フランジ８には、前後２カ所にそれぞれ円形の係合孔１０が形成されている。
【００１９】
このフランジ８に対して、フランジ８よりも前後長さのある樹脂製のカバー１２が、左右方向内側からそれぞれ押付方向を取付方向として取付けられている。カバー１２は断面Ｌ形で前後両端部には端末壁１３が形成されている。カバー１２の上端部の前記引掛孔９に対応する部分には、概略Ｔ字状の引掛部１４が上向き状態で形成されている。
【００２０】
カバー１２の係合孔１０に対応する部分には係合部１５が突出形成され、その下方には下縁部１１に対応する位置に係止部１６が形成されている。係合部１５は断面十字形のストレート形状で、突出方向に沿って４つの溝部１７（図５参照）が形成されている。係合部１５の先端１５ａは若干先細り形状になっている。係止部１６は先端に上向きの爪部１８が形成され、フランジ８の下縁部１１に対して取外方向で係合するようになっている。係止部１６の上面は、フランジ８の下縁部１１と当接するように、下縁部１１と高さが一致するようになっている。
【００２１】
次に、カバー１２の取付け方を説明する。まず、カバー１２の上端に形成された引掛部１４を、リテーナ６の引掛孔９に引っ掛ける。Ｔ字状の引掛部１４の端部の片方づつを順に引掛孔９に通すことにより、引っ掛けることができる。
【００２２】
次に、この引掛孔９に引っ掛けた引掛部１４を中心に、カバー１２をフランジ８側に回動させ、係合部１５をフランジ８の係合孔１０に合わせながら係合孔１０内に挿入し、係止部１６をフランジ８の下縁部１１に係合させることにより、カバー１２は取付状態となる。
【００２３】
係合部１５を係合孔１０に挿入した状態で、係合部１５の表面が係合孔１０の内縁に接触するため、カバー１２のフランジ８の面方向（上下・前後）におけるガタつきが防止される。また、係止部１６の爪部１８がフランジ８の下縁部１１に対して取外方向で係合するため、カバー１２の取外方向への離脱が防止される。更に、係止部１６がフランジ８の下縁部１１に下側から当接した状態になっているため、カバー１２の下方へのガタつきが更に確実に防止される。
【００２４】
係合部１５がストレート形状のため、係合孔１０への挿入作業が容易である。特に、係合部１５が断面十字状で、表面に接触面積低減用の溝部１７が突出方向に形成されているため、係合部１５を係合孔１０に挿入する際に接触抵抗が小さく、挿入作業がより行い易くなっている。係合部１５の先端１５ａが先細りになっていることも、挿入作業を容易にしている。しかも、リテーナ６の引掛孔９に引っ掛けた引掛部１４を中心にして、カバー１２全体を回動させることにより、係合部１５の係合孔１０内への挿入と、係止部１６の下縁部１１への係合を行えるため、カバー１２の取付作業が容易である。
【００２５】
リッド４の補修等の際に、カバー１２を取外す場合は、係止部１６を下側へ押すことにより、爪部１８と下縁部１１との係合が解除されるため（図４の二点鎖線部分参照）、そのままカバー１２全体を上端の引掛部１４を中心に、取外し方向へ回動させることにより、係合部１５の係合孔１０からの引抜きも行え、作業が容易である。そして、引掛部１４を引掛孔９から外せば、カバー１２全体が取外せる。
【産業上の利用可能性】
【００２６】
以上の実施例によれば、内壁部として下側に折り曲げて形成したフランジ８を例にしたが、これに限定されず、普通の内壁部に開口や切欠により下縁部を形成した構造のものでも良い。また、断面十字状の係合部１５を例にしたが、単純な筒型・柱型（円形に限定されない）であっても良い。
【図面の簡単な説明】
【００２７】
【図１】本発明の一実施例に係るサンルーフ装置を示す分解斜視図。
【図２】図１のカバーの取付状態を示す斜視図。
【図３】図１及び図２のカバーの係合部と係止部とを示す斜視図。
【図４】図１のカバーの取付状態を示す断面図。
【図５】図４中ＤＡ方向から見た係合部の側面図。
【符号の説明】
【００２８】
２  サンルーフ開口
４  リッド
５  ガラス
６  リテーナ
８  フランジ（内壁部）
９  引掛孔
１０  係合孔
１１  下縁部
１２  カバー
１４  引掛部
１５  係合部
１６  係止部
１７  溝部
１８  爪部
【図１】
2005212567.tif 000003
【図２】
2005212567.tif 000004
【図３】
2005212567.tif 000005
【図４】
2005212567.tif 000006
【図５】
2005212567.tif 000007